(57)【要約】【課題】  電源スイッチ、音量調整部、電池の蓋部のロック機構といった各部材を簡略化して操作部分を大きくすることが可能となり、これに伴って操作性の向上が図られる補聴器を提供する。【解決手段】  耳に装着されるイヤーチップ５０の後端部に、トップハウジング１０とボトムハウジング２０とからなるハウジング１Ａを設け、ハウジング１Ａ内に、電池ホルダ部１５を設け、この電池ホルダ部１５内の電池収納空間１６の開口１７を、ハウジング１Ａにスライド自在に設けたカバー９０で開閉する。ボトムハウジング２０の後端面の集音孔２３の周囲にリング状の回転ノブ１００を設け、このノブ１００を電源のスイッチと音量調整に用い、さらに、ノブ１００の突起１００ａ〜１００ｃがカバー９０のフランジ部９４に当接して係合することで、スイッチＯＮの時にカバー９０の閉状態をロックする。【選択図】      図２
2005286850.tif 000002
【特許請求の範囲】
【請求項１】
耳に装着される装着部と、
この装着部の後端部に連設されるハウジングと、
このハウジング内に収納される電池と、
前記ハウジングに開閉自在に設けられ、閉状態で、ハウジング内での前記電池の収納状態を保持する蓋部と、
この蓋部を閉状態に保持させるロック機構と、
前記電池を電源とするマイクロホンおよび放音部と、
前記電池による電源のＯＮ／ＯＦＦを行うスイッチ部と、
前記放音部からの放音の音量を調整する音量調整部とを備えた補聴器において、
前記ロック機構、前記スイッチ部および前記音量調整部が、外部から操作可能な１つの可動部材で構成されていることを特徴とする補聴器。
【請求項２】
前記可動部材は、前記ハウジングの後端部に配設されていることを特徴とする請求項１に記載の補聴器。
【請求項３】
前記可動部材は、前記ハウジングに対して、該ハウジングの前後方向に沿った回転軸を中心に回転自在に取り付けられていることを特徴とする請求項１または２に記載の補聴器。
【請求項４】
前記可動部材の回転角度に応じて、前記ロック機構がロック状態と非ロック状態に設定され、非ロック状態では、前記スイッチ部がＯＦＦになるように設定されていることを特徴とする請求項３に記載の補聴器。
【請求項５】
前記可動部材には係合部が設けられ、
前記蓋部は、前記ハウジングに、前側の閉位置から後側の開位置の間を前後方向に移動自在に設けられるとともに、この蓋部には、可動部材による前記スイッチ部がＯＦＦの状態で該蓋部が開方向に移動した場合に限り、可動部材の前記係合部に係合する被係合部が設けられ、これら係合部および被係合部により前記ロック機構が構成されていることを特徴とする３または４に記載の補聴器。
【請求項６】
前記ハウジングの後端部には、外部の音を前記マイクロホンに導く集音孔が形成され、この集音孔の周囲に、前記可動部材が配設されていることを特徴とする１〜５のいずれかに記載の補聴器。
【発明の詳細な説明】
【技術分野】
【０００１】
本発明は、耳に装着する形式の補聴器に係り、特に、電源のＯＮ／ＯＦＦと音量調節を行うためのスイッチ類や、ハウジング内に収納する電池の蓋部のロック機構を一括させて、構成の簡素化とともに操作性の向上を図った補聴器に関する。
【背景技術】
【０００２】
耳に装着する形式の小型補聴器は、マイクロホンやレシーバ、増幅回路等が収納されたハウジング等の先端に、耳に挿入される耳栓部が設けられ、耳に装着した状態で露出する後端面に、音を取り込む集音孔、音量を調整するためのボリュームノブとともに、電池を収納する蓋が設けられたものが知られている（例えば、特許文献１，２）。電池収納蓋は、ハウジング等の後端面に開閉自在にヒンジ結合され、開いた状態で、トレー状の電池収納蓋の内部が露出し、その内部に電池が落とし込まれて収納される。電池は、通常、いわゆるボタン型の小型のものが用いられる。
【０００３】
【特許文献１】実公平７−４９９２０号
【特許文献２】特公平８−２２１１６号
【発明の開示】
【発明が解決しようとする課題】
【０００４】
上記のような構造の補聴器では、ハウジング等の後端面にボリュームノブや電池収納蓋が独立して配置され、電源スイッチは、電池収納蓋の開閉を利用したもの、あるいは電源スイッチはなく、電池の収納をもって電源がＯＮとなる形式のものがある。いずれの場合も、ハウジング等の後端面においては、面積的に電池収納蓋が閉める割合が大きいので、ボリュームノブが小さくなってしまいがちであり、このため音量の調整がしづらいか、あるいは、耳に装着した状態では不可能なものであった。後端面の面積を大きくすれば、このような問題は回避されるものの、装着感が犠牲になり、現実的ではない。
【０００５】
また、電源スイッチを持たないタイプの補聴器では、電池を収納すると電源がＯＮになるが、この場合には、補聴器を耳に近付けると、放音される音をマイクロホンが拾って干渉が起こり、ハウリング音が発生しやすく、使用者に不快感を与える。
【０００６】
よって本発明は、電源スイッチや音量調整部、さらには電池の蓋部のロック機構といった各部材を簡略化し、その結果、操作部分を大きくすることが可能となり、これに伴って操作性の向上が図られる補聴器を提供することを目的としている。
【課題を解決するための手段】
【０００７】
本発明は、耳に装着される装着部と、この装着部の後端部に連設されるハウジングと、このハウジング内に収納される電池と、ハウジングに開閉自在に設けられ、閉状態で、ハウジング内での電池の収納状態を保持する蓋部と、この蓋部を閉状態に保持させるロック機構と、電池を電源とするマイクロホンおよび放音部と、電池による電源のＯＮ／ＯＦＦを行うスイッチ部と、放音部からの放音の音量を調整する音量調整部とを備えた補聴器において、ロック機構、スイッチ部および音量調整部が、外部から操作可能な１つの可動部材で構成されていることを特徴としている。
【０００８】
本発明によれば、可動部材が蓋部のロック機構、スイッチ部および音量調整部を兼用するので、これら部材の簡略化が図られ、このため、可動部材を大きく設定することができ、これによって操作性が向上する。可動部材は、当該補聴器を耳に装着した状態で操作可能なように、ハウジングの後端部に配設されている形態が好ましい。可動部材は、自身が動くことにより、電源のスイッチ部のＯＮ／ＯＦＦ、音量の調整、蓋部のロック／非ロックがなされる。
【０００９】
可動部材の動きの形態としては、スライド、回転等、いかなる形態でもよいが、例えば回転の場合であれば、ハウジングに対して、該ハウジングの前後方向に沿った回転軸を中心に回転自在に取り付けられている形態が挙げられる。その場合、可動部材の回転角度に応じて、ロック機構がロック状態と非ロック状態に設定され、非ロック状態では、スイッチ部がＯＦＦになるように設定すると、ロック機構が非ロック状態で、蓋部を開け、電池交換を行った後、再び蓋部を閉めると、この間は常にスイッチ部がＯＦＦなので、電池交換後、そのまま放置しておいても、電池が空費されることが防止される。
【００１０】
上記ロック機構としては、次の係合部および被係合部によるものが挙げられる。可動部材には係合部が設けられる。一方、蓋部は、ハウジングに、前側の閉位置から後側の開位置の間を前後方向に移動自在に設けられるとともに、この蓋部には、可動部材によるスイッチ部がＯＦＦの状態で該蓋部が開方向に移動した場合に限り、可動部材の係合部に係合する被係合部が設けられている。
【００１１】
本発明では、ハウジングの後端部に、外部の音をマイクロホンに導く集音孔を形成し、この集音孔の周囲に、可動部材を配設した形態を含む。
【発明の効果】
【００１２】
本発明によれば、可動部材が蓋部のロック機構、スイッチ部および音量調整部を兼用するので、これら部材の簡略化が図られ、これに伴って可動部材を大きく設定することができるので、可動部材、すなわち蓋部のロック機構、スイッチ部および音量調整部の操作性が向上するといった効果を奏する。
【発明を実施するための最良の形態】
【００１３】
以下、図面を参照して本発明を補聴器に適用した一実施形態を説明する。
図１および図２は、一実施形態に係る補聴器１を示している。この補聴器１は、耳に装着する形式の小型補聴器であって、図中符号１Ａはハウジングである。このハウジング１Ａは、図１（ａ）で左側である先端側のトップハウジング１０と、このトップハウジング１０の後側に配されるボトムハウジング２０との組み合わせからなる。
【００１４】
トップハウジング１０は、先端側に円筒部１１を有し、この円筒部１１の先端中心には、細筒部１２が形成されている。円筒部１１は、図において断面縦長の楕円状であり、その後端には、後方に向かうにしたがって広がるテーパ部１３が形成され、さらに、このテーパ部１３の後端の一部（図で上部）には、円筒部１１の周壁から延長して後方に延びる周壁部１４が形成されている。
【００１５】
トップハウジング１０の円筒部１１の内部には、レシーバ３１が嵌合されている。このレシーバ３１は、バランスドアーマチュア型の電磁型レシーバであり、その先端面に放音孔を有している。トップハウジング１０の先端の細筒部１４には、音道管４０が圧入によって固定されている。音道管４０の先端部は細筒部１４から突出しており、その突出部から細筒部１４にわたる部分に、イヤーチップ５０が装着されている。このイヤーチップ５０は、例えばシリコーンゴム等の軟質材料で成形されたもので、円筒部５３の周囲に、先端側から第１フランジ部５１、この第１フランジ部５１よりも大径の第２フランジ部５２が形成されている。いずれのフランジ部５１，５２も、先端側から後方に向かうにしたがって傘状に広がっており、非常に柔らかく、弾性変形するものである。イヤーチップ５０は、円筒部５３内に、細筒部１４が圧入されることにより、トップハウジング１０に装着されている。
【００１６】
ボトムハウジング２０は、トップハウジング１０の後端の開口を塞ぐ底板部２１を有し、この底板部２１の周縁の一部（図で下部）には、前方に延びる周壁部２４が形成されている。トップハウジング１０の周壁部１４と、ボトムハウジング２０の周壁部２４とは、図に示す組み込み状態で、互いに平行な状態で対向している。
【００１７】
ボトムハウジング２０の底板部２１は、その後端面に、後方に突出する円筒軸部２２を有しており、底板部２１の内部には、集音部側を後方に向けたマイクロホン３０が嵌合されている。円筒軸部２２の中心には、集音孔２３が形成されている。また、円筒軸部２２の外周には、その軸回りに回転自在にリング状のノブ１００が装着されている。このノブ１００は、円筒軸部２２の後端面に固着されたリング状のストッパ２５によって抜け止めがなされている。ノブ１００の外周の所定位置には、図２（ｂ）に示すように、径方向および後方に突出する複数の突起１００ａ〜１００ｃが形成されている。この場合、突起は第１突起１００ａ、第２突起１００ｂおよび第３突起１００ｃの３つであり、これら突起１００ａ〜１００ｃは、ノブ１００を回転させやすくするための手掛かりであって、第１突起１００ａを頂点とする二等辺三角形を描く位置に配されている。なお、第２突起１００ｂと第３突起１００ｃは同じ大きさであり、これら突起１００ｂ，１００ｃよりも、第１突起１００ａは大きく形成されている。
【００１８】
上記のトップハウジング１０とボトムハウジング２０とは、周壁部１４，２４を互いに対向させた配置関係で、相互に連結されてハウジング１０を構成するが、その連結には、弾性金属からなる正極端子７０が用いられている。正極端子７０は、図１（ａ）に示すように、上板部７１と、この上板部７１の両端縁からそれぞれ直角に垂下する前板部７２および後板部７３とを備えた側面視門型状に形成されたものである。前板部７２の一方（図１（ａ）で手前側、（ｂ）で左側）の側縁と、この側縁とは反対側の側縁から所定距離内側に当たる部分には、前方に延びる矩形状の爪部７２ａが形成されている。また、後板部７３の両側縁には、後方に延びる矩形状の爪部７３ａが形成されている。すなわち、正極端子７０は、前部に左右一対（図１（ａ）で図面奥側と手前側）の爪部７２ａを、後部に左右一対の爪部７３ａを、それぞれ有している。
【００１９】
正極端子７０の前側の一対の爪部７２ａは、テーパ部１３の内周壁に形成された浅い凹所１３ａに嵌め込まれ、接着によって固着されている。また、後側の一対の爪部７３ａは、ボトムハウジング２０の底板部２１の周縁に形成された周環部２１ｂの内周面に形成された浅い凹所２１ａに嵌め込まれ、接着によって固着されている。このように、正極端子７０がトップハウジング１０とボトムハウジング２０とに固着されることにより、この正極端子７０を介して両ハウジング１０，２０は連結されている。なお、正極端子７０は、トップハウジング１０の周壁部１４の両側縁に固着されてもいる。正極端子７０の上板部７１の外側には、ＩＣを備えた回路基板３２が接着によって固着されている。すなわち回路基板３２は、正極端子７０の上板部７１とトップハウジング１０の周壁部１４との間の空間に配設されている。
【００２０】
また、ボトムハウジング２０の周壁部２４の内面には、弾性金属からなる負極端子８０が固着されている。この負極端子８０は、正極端子７０の上板部７１と平行に対向する主板部８１と、この主板部８１の後端から直角に上方に屈曲する後板部８２と、主板部８１の前端から前方に突出する端子部８３とを備えている。負極端子８０は、主板部８１が周壁部２４の内面に接着され、後板部８２が底板部２１に接着されることにより、ボトムハウジング２０に固着されている。
【００２１】
ハウジング１Ａ内には、上記正極端子７０と負極端子８０とにより電池ホルダ部１５が構成され、その内部空間が、電池収納空間１６とされる。この電池収納空間１６に、回路基板３２を介してマイクロホン３０およびレシーバ３１の駆動用のＩＣに電力を供給する電池６０が収納される。電池６０は、薄型円筒状のボタン型であって、軸方向一端側の突出部６１の端面が負極、突出部６１の反対側の端面から周面にわたる部分が、正極である。
【００２２】
電池６０は、突出部６１を図中下方の負極端子８０側に向け、正極の底面を正極端子７０の上板部７１側に向けた姿勢で、電池収納空間１６内に収納される。その収納状態で、電池６０の底面：正極には、正極端子７０の上板部７１に形成された接触片７１ａが弾性的に接触し、突出部６１の端面：負極には、負極端子８０の主板部８１に形成された接触片８１ａが弾性的に接触する。これによって電池６０は電池収納空間１６に保持される。
【００２３】
ハウジング１Ａにおいては、上下の周壁部１４，２４の間の両側が開口しており、これら開口１７のうちの一方が、電池収納空間１６に対する電池６０の挿入口、他方が電池６０の取り出し口とされる。電池６０は、上記のような電池収納空間１６での姿勢で、一方の開口１７から電池収納空間１６に収納され、また、同じ姿勢で、他方の開口１７から取り出される。そのため、これら開口１７，１７は、電池６０が通過可能な寸法および形状に設定されている。
【００２４】
トップハウジング１０の内面におけるテーパ部１３の図中下部には、段部１３ｃが形成されている。また、ボトムハウジング２０の内面における底板部２１から周壁部２４にわたる部分にも、段部２１ｃが、正極端子７０の後板部８２の両側に一対の状態で形成されている。これら段部１３ｃ，２１ｃが形成されていることにより、図１（ａ）に示すように、開口１７から見た電池収納空間１６の形状（電池６０の出し入れ方向に直交する断面形状）は、収納される電池６０の側面視と相似した形状に見える。
【００２５】
ハウジング１Ａを構成する上下の周壁部１４，２４の外周側には、カバー９０が軸方向に摺動自在に装着されている。このカバー９０の軸方向長さは、各周壁部１４，２４のそれとほぼ同じであり、各周壁部１４，２４の外周面全面を覆う位置で、各開口１７を塞ぐ。また、カバー９０を図１（ａ）で右側にスライドさせると、図２（ａ）に示すように、各開口１７が開く。
【００２６】
カバー９０は、図１（ｂ）に示すように、両側の側壁部９１と、これら側壁部９１をつなぐ上下の周壁部９２とを備えた図中縦長の断面楕円の円筒状のものである。カバー９０および上下の周壁部１４，２４で形成される円筒状体に対し、トップハウジング１０の上記円筒部１１は、図１（ｂ）に示すように、一側方に偏心している。カバー９０の下側の周壁部９２の前端内周面には、周方向に延びる短い凸条９３が形成されており、一方、ボトムハウジング２０の周壁部２４の外周面には、軸方向に延び、凸条９３が嵌合するガイド溝２４ａが形成されている。凸条９３がガイド溝２４ａに沿って摺動することにより、カバー９０の軸方向へのスライドが案内される。
【００２７】
ボトムハウジング２０の周壁部２４における上記ガイド溝２４ａの後端には、凸条９３が当接するストッパ段部２４ｂが形成されており、このストッパ段部２４ｂに凸条９３が当接することにより、カバー９０は、開口１７が開く全開の状態で抜け止めがなされる。さらに、トップハウジング１０のテーパ部１３における下側の後端部の外周面には、外周側に僅かに突出するフック部１３ｄと、このフック部１３ｄの前側にストッパ溝１３ｅが形成されており、凸条９３がフック部１３ｄに乗り上げてストッパ溝１３ｅに嵌合することにより、カバー９０はスライド不能となり、開口１７が閉じる全閉の状態に保持される。
【００２８】
さて、本実施形態の補聴器１は、集音孔２３からマイクロホン３０に導入された外部の音がレシーバ３１より放音されるが、この補聴器１の動作をＯＮ／ＯＦＦさせるスイッチおよびレシーバ３１からの音量の調整が、上記ノブ１００によってなされる。また、ノブ１００は、動作中ではカバー９０が閉じた状態を保持させる機能も備えている。
【００２９】
図１（ａ）および図３（ａ）に示すように、カバー９０の後端縁は内側に屈曲してフランジ部９４が形成されており、このフランジ部９４には、内側の円形の孔に開口する矩形状の複数の切欠き９４ａ〜９４ｃが形成されている。この場合、切欠きは、ノブ１００の突起１００ａ〜１００ｃに対応する位置と大きさに形成された第１切欠き９４ａ、第２切欠き９４ｂおよび第３切欠き９４ｃである。図３（ａ）に示すように、ノブ１００を、第１突起１００ａが図中最も下に位置し、第２突起１００ｂおよび第３突起１００ｃが上方であって互いに水平に並ぶ位置において、ノブ１００はカバー９０が開くことが可能なロック解除の状態になる。第１突起１００ａと第２突起１００ｂと第３突起１００ｃとの位置関係は、図３に示すように、円筒軸部２２を中心として、第１突起１００ａから時計回り方向と反時計回り方向に１３５°ずつ回転した位置に第２突起１００ｂと第３突起１００ｃがそれぞれ配置されている。また、第２突起１００ｂと第３突起１００ｃとは９０°ずれた位置関係となっている。
【００３０】
図３に示すように、ノブ１００の裏面には、音量調整用ブラシ１０１と、電源用ブラシ１０２とが、所定の位置に設けられており、各ブラシ１０１，１０２には、接触部１０１ａ，１０２ａが、それぞれ設けられている。一方、ボトムハウジング２０の底板部２１におけるノブ１００の裏面に対面する部分には、リング状の基板３３が固着されている。この基板３３には、音量を調整するための音量調整回路３３Ａと、電源をＯＮ／ＯＦＦするための電源回路３３Ｂが形成されており、各ブラシ１０１，１０２の接触部１０１ａ，１０２ａは、ノブ１００の回転パターンに応じて、各回路３３Ａ，３３Ｂに接触する。各回路３３Ａ，３３Ｂは、２本の回路を備え、これら回路が、各ブラシ１０１，１０２の接触部１０１ａ，１０２ａが接触して短絡することにより、所定の作用がなされるもので、上記回路基板３２に接続されている。この場合、接触部１０１ａを備えた音量調整用ブラシ１０１が本発明の音量調整部であり、接触部１０２ａを備えた電源用ブラシ１０２が本発明のスイッチ部とされる。
ノブ１００による作用は、以下の通りである。
【００３１】
［ａ] 電源ＯＦＦ／カバー９０のロック解除
ノブ１００が上記のロック解除の位置においては、図３（ａ）に示すように、突起１００ａが切欠き９４ａに、突起１００ｂが切欠き９４ｂに、突起１００ｃが切欠き９４ｃに、それぞれ対応する位置にあり、カバー９０を開方向にスライドさせると、各切欠き９４ａ〜９４ｃが各突起１００ａ〜１００ｃを通過するので、スライド可能であり、カバー９０を全開にすることができる。図３（ｂ）に示すように、電源用ブラシ１０２の接触部１０２ａは電源回路３３Ｂに接触していないので、電源はＯＦＦである。
【００３２】
［ｂ］電源ＯＦＦ／カバー９０はロックの状態
図４（ａ）に示すように、ロック解除の状態からノブ１００を時計回りに４５°回転させると、各突起１００ａ〜１００ｃがカバー９０のフランジ部９４に係合する。すなわち、カバー９０のフランジ部９４が各突起１００ａ〜１００ｃに当接することにより、カバー９０は抜け止めされたロックの状態になり、電池６０は保持される。また、図４（ｂ）に示すように、電源用ブラシ１０２の接触部１０２ａは電源回路３３Ｂに接触していないので、電源はＯＦＦである。
【００３３】
［ｃ］電源ＯＮ、音量低レベル／カバー９０はロックの状態
図５（ａ）に示すように、上記［ｂ］の状態からノブ１００を時計回りに４５°回転させると、図５（ｂ）に示すように、電源用ブラシ１０２の接触部１０２ａが電源回路３３Ｂに接触するので、電源がＯＮとなる。電源はＯＮであるが、音量調整用ブラシ１０１の接触部１０１ａは音量調整回路３３Ａに接触していないので、音量は最低レベルで一定となる。また、各突起１００ａ〜１００ｃにカバー９０のフランジ部９４が当接して係合するので、カバー９０は引き続きロックの状態である。
【００３４】
［ｄ］電源ＯＮ、音量高レベル／カバー９０はロックの状態
図６（ａ）に示すように、上記［ｃ］の状態からノブ１００を時計回りに４５°回転させると、図６（ｂ）に示すように、音量調整用ブラシ１０１の接触部１０１ａが音量調整回路３３Ａに接触し、このため、音量を所定のレベルに増加させることができる。なお、上記［ｃ］の状態からノブ１００が４５°回転する範囲では、電源用ブラシ１０２の接触部１０２ａは電源回路３３Ｂに接触し、常に電源はＯＮの状態である。各突起１００ａ〜１００ｃにカバー９０のフランジ部９４が当接するので、カバー９０は引き続きロックの状態である。
なお、音量調整回路３３Ａを抵抗線などにより構成し、可変抵抗器として機能させることにより、リニアに音量調整を行うことも可能である。
【００３５】
次いで、上記実施形態の補聴器１の作用を説明する。
この補聴器１では、電池収納空間１６に電池６０が収納されると、回路基板３２を介してマイクロホン３０およびレシーバ３１の駆動用のＩＣに電力が供給可能な状態となる。カバー９０を閉じ、ノブ１００によって電源をＯＦＦにした状態で、イヤーチップ５０を外耳道に挿入し、ノブ１００により電源をＯＮとし、かつ、音量を調整しながら、使用する。音は、集音孔２３から、マイクロホン３０に伝わって集音され、その音は、回路基板３２で増幅されて、レシーバ３１から放音される。そして、その音は、音道管４０内からイヤーチップ５０の先端開口を経て、外耳内に放音される。放音される音の音量は、上記のようにノブ１００を回転させることにより調整することができる。
【００３６】
続いて、収納された電池６０を交換する際の手順を説明する。
ノブ１００をロック解除の位置としてカバー９０を開き、新たに収納する新しい電池６０を、収納されている古い電池６０と同じ姿勢とし、その電池６０を、一方の開口１７から電池収納空間１６に向けて挿入していく。
【００３７】
新しい電池６０が挿入されると同時に、古い電池６０は新しい電池６０に押し出され、新しい電池６０が電池収納空間１６に収納されると、古い電池６０は、他方の開口１７から飛び出し、取り出される。このように新しい電池６０が収納されたら、カバー９０を前方にスライドさせて閉める。以上により、電池６０の交換が終了する。
【００３８】
このような電池交換の操作にあっては、新しい電池６０の収納と古い電池６０の取り出しを同時に行うことができるので、電池交換作業が容易に、かつ円滑に行うことができる。この交換作業のしやすさは、補聴器といった小型の電子機器にとって、とりわけ有用である。また、電池収納空間１６に収納されている古い電池６０を見ながら新しい電池６０を挿入するので、極性を誤ることなく正確に新しい電池６０を収納することができる。特に、上記実施形態の場合は、段部１３ｃ，２１ｃによって、電池収納空間１６は電池６０と相似した形状に見えるので、極性を誤ることが一層防止されるとともに、空の状態の電池収納空間１６に電池６０を収納する際にも、極性を誤る誤挿入を起こしにくい。
【００３９】
上記実施形態の補聴器１によれば、ノブ１００がカバー９０の閉状態を保持するロック機構と、電源のスイッチ部と、音量調整部を兼用している。したがって、これら部材の簡略化が図られ、これに伴って、ボトムハウジング２０の後端面のほぼ全面にわたる大きさにノブ１００を設定することができる。これによって、ノブ１００の操作性、すなわち、カバー９０をロックさせること、電源のスイッチのＯＮ／ＯＦＦ、音量調整が、しやすくなる。また、ボトムハウジング２０の後端面にノブ１００を配設したので、これらの操作を、当該補聴器１を耳に装着したまま、行うことができる。
【００４０】
また、電池交換は、ノブ１００を電源ＯＦＦの位置にし、カバー９０を開けて行い、その後、カバー９０を閉めるので、この間は常にノブ１００が電源ＯＦＦであり、したがって、電池交換後そのまま放置しておいても、電池が空費されることが防止される。
【００４１】
図７は、上記実施形態の変形例を示しており、ここでは、ボトムハウジング２０の後端面の、集音孔２３に対して偏心する位置に、ノブ１００Ｂが回転自在に取り付けられている。また、カバー９０の後端部は円筒状で、上記フランジ部９４は形成されていない。ノブ１００Ｂの外周部には、周方向に沿った弧状のシャッタ１１０と、半円弧状のストッパ１１１とが形成されている。ノブ１００Ｂは、反時計回りに回転することで、カバー９０のロック／ロック解除と、電源のＯＮ／ＯＦＦ、音量の調整を行う。
【００４２】
図７は、上記［ｄ］：電源ＯＮ、音量高レベル／カバー９０はロックの状態であり、カバー９０の後端面にストッパ１１１が係合することで、カバー９０はロックされている。また、この状態から時計回りにノブ１００Ｂを回転させると、ストッパ１１１はカバー９０の後端面から外れてロックが解除され、これとともに、シャッタ１１０によって集音孔２３が塞がれる。電池交換はこの状態でカバー９０を後方にスライドさせて行うことができ、集音孔２３は、使用時以外はノブ１００Ｂを回転させてシャッタ１１０で塞いでおくことができ、埃や水分等をできるだけ侵入させないようにすることができる。
【図面の簡単な説明】
【００４３】
【図１】本発明の一実施形態に係る補聴器であって、（ａ）はカバーが閉じた状態の側断面図、（ｂ）は（ａ）の１Ｂ−１Ｂ線矢視断面図である。
【図２】本発明の一実施形態に係る補聴器であって、（ａ）はカバーが開いた状態の側断面図、（ｂ）は後面図である。
【図３】ノブの作用を示す図であって、（ａ）はカバーのロック解除の状態を示す補聴器の後面図、（ｂ）は（ａ）の状態における音量調整回路および電源回路を備えた基板に対するノブ側の音量調整用ブラシおよび電源用ブラシの接触部の位置を示す図である。
【図４】図３の状態からノブを時計回りに４５°回転させた状態の（ａ）補聴器の後面図、（ｂ）上記基板に対する上記接触部の位置を示す図である。
【図５】図４の状態からノブを時計回りに４５°回転させた状態の（ａ）補聴器の後面図、（ｂ）上記基板に対する上記接触部の位置を示す図である。
【図６】図５の状態からノブを時計回りに４５°回転させた状態の（ａ）補聴器の後面図、（ｂ）上記基板に対する上記接触部の位置を示す図である。
【図７】一実施形態のノブの変形例を示す斜視図である。
【符号の説明】
【００４４】
１…補聴器
１Ａ…ハウジング
１０…トップハウジング
２０…ボトムハウジング
２２…円筒軸部（回転軸）
２３…集音孔
３０…マイクロホン
３１…レシーバ（放音部）
５０…イヤーチップ（装着部）
６０…電池
９０…カバー（蓋部）
９４…フランジ部（被係合部：ロック機構）
１００，１００Ｂ…ノブ（可動部材）
１００ａ〜１００ｃ…突起（係合部：ロック機構）
【図１】
2005286850.tif 000003
【図２】
2005286850.tif 000004
【図３】
2005286850.tif 000005
【図４】
2005286850.tif 000006
【図５】
2005286850.tif 000007
【図６】
2005286850.tif 000008
【図７】
2005286850.tif 000009